(57)【要約】  特許請求の範囲に記載された発明は、取っ手の柄（１４）を携帯用器具（１０）に固定するための装置に関する。器具（１０）は、管（１２）の一端に配置される動力源（１１）と管（１２）の他端に配置される作業工具とを備える。取っ手の柄（１４）は、管（１２）と取っ手の柄（１４）との間に配置される保持装置（１５）によって、管（１２）に固定される。スリーブは、管（１２）の周囲に配置され、管（１２）に固定される。スリーブの内側は、管（１２）の断面に適合するように形成され、その外側は、非円形の形状を有する。スリーブは、弾性材料の層によって、少なくとも部分的に囲まれ、保持装置（１５）は、スリーブの外側と同様な形状の、スリーブと弾性材料の層との周囲にクランプ留めされるキャビティを備える。
2008504815.tif 000002
【特許請求の範囲】
【請求項１】
携帯用器具（１０）に取っ手の柄（１４）を固定するための装置であって、
前記器具（１０）が、管（１２）の一端に配置される動力源（１１）と前記管（１２）の他端に配置される作業工具とを具備し、前記取っ手の柄（１４）が、前記管（１２）と前記取っ手の柄（１４）との間に配置される保持装置（１５）によって、前記管（１２）に固定されており、
スリーブ（１６）が、前記管（１２）の周囲に固定され、前記スリーブ（１６）の内側（２５）が、前記管（１２）の断面に適合するように形成され、その外側（１８）が、非円形の形状を有し、前記スリーブ（１６）が、弾性材料の層（１９）によって、少なくとも部分的に囲まれ、前記保持装置（１５）が、前記スリーブ（１６）の外側と同様な形状を有するキャビティ（２１）を備え、前記スリーブ（１６）と弾性材料の層（１９）との周囲にクランプ留めされることに特徴付けられる、装置。
【請求項２】
前記管（１２）と前記スリーブ（１６）の内側（２５）とが、円形の断面を有することに特徴付けられる、請求項１に記載の装置。
【請求項３】
前記スリーブ（１６）の外側（１８）と前キャビティ（２１）とが、楕円の形状を有することに特徴付けられる、請求項1又は２に記載の装置。
【請求項４】
弾性材料の前記層（１９）が、ほぼ完全に、前記スリーブ（１６）の周囲に延在していることに特徴付けられる、請求項１、２、又は３に記載の装置。
【請求項５】
弾性材料の前記層（１９）が、ゴム又は同様の特性を有する材料から作られることに特徴付けられる、請求項１から４のいずれか一項に記載の装置。
【請求項６】
前記弾性材料の層（１９）の厚さが、2から15mmであることに特徴付けられる、請求項１から５のいずれか一項に記載の装置。
【請求項７】
前記弾性材料の層（１９）の厚さが、3から7mmであることに特徴付けられる請求項６に記載の装置。
【請求項８】
前記キャビティ（２１）が配置される前記保持装置（１５）の端部（２０）は、前記スリーブ（１６）の周囲に、前記保持装置（１５）をクランプ留めすることが可能となるように、前記キャビティ（２１）を少なくとも二つの部品に分けている、少なくとも二つの区画（２２、２３）を備えることに特徴付けられる、請求項１から７のいずれか一項に記載の装置。
【発明の詳細な説明】
【技術分野】
【０００１】
特許請求の範囲に記載された発明は、携帯用器具に取っ手の柄を固定するための装置に関する。器具は、管の一端に配置されたエンジンと、管の他端の作業工具とを備える。取っ手の柄は、管と取っ手の柄との間に配置される保持装置によって管に固定される。
【背景技術】
【０００２】
草刈機、刈込機、刈払機、及び植木用の電気バリカンは、森や庭で作業を容易にするためにしばしば使用される。これらの器具は、幾つかの異なる大きさ及び形状において使用可能であり、それらの各々は作業に対して最適化され、器具が作業に使用されて、操作者からの要求に合致するようになっている。草刈機、刈込機、刈払機、及び植木用の電気バリカンは、管の一端に配置されるエンジンとそれに関連する構成部品を備える。駆動シャフトは、エンジンから作業工具が接続する管の他端へ、管の内部を延伸する。管と作業工具、例えば、カッティングフィラメント用の刈込み頭部、鋸刃、ガイドバーとソーチェーン、又は植木用の電気バリカンのための装置のような作業工具との長さは、製品の特定な用途に対して選択される。
【０００３】
操作者に対する作業条件を改善するために、これらの器具は、操作者の肩周りに置かれる固定用ベルトによって運ばれる。肩紐と固定用ベルトが器具の重量を支えるために、器具は、固定用ベルトから延伸する肩紐に装着される。器具はまた、保持装置によって管に沿った何れかの場所に、器具を固定させる取っ手の柄を備える。保持装置の一端は、管に留められ、取っ手の柄は、他端に固定される。取っ手の柄は、器具の使用中に、作業工具を巧みに操作するため、操作者によって使用される。
【発明の開示】
【発明が解決しようとする課題】
【０００４】
器具は、運転中に動いているいくつかの構成部品を備える。これらの構成部品は管で振動を発生し、それは取っ手の柄に伝達される。これらの振動は、結果として、取っ手の柄を経由して操作者の手にも伝達され、操作者にとって非常に不愉快である。
【課題を解決するための手段】
【０００５】
その結果、操作者の作業条件を改善する取っ手の柄の装置が必要である。
【０００６】
この課題は、独立請求項で画定される発明によって解決される。
【０００７】
取っ手の柄を携帯用器具に固定するための特許請求の範囲に記載された装置は、器具から取っ手の柄へ伝達される振動の大きさを低減する。管に固定されるスリーブを有する管を備えることによって、課題は解決される。スリーブの内側は、管の断面に適合するように形成され、その外側は非円形の形状を有する。スリーブの外側は、弾性材料の層によって少なくとも部分的に囲まれている。取っ手の柄のための保持装置の一端には、スリーブの外側と同様な非円形の形状を有するキャビティを備える。キャビティは、スリーブと弾性材料の層の周囲にクランプ留めされ、取っ手の柄は、保持装置の反対側の端部に固定される。
【０００８】
弾性材料の層は、器具から取っ手の柄に伝達される振動を低減し、非円形に形成されたスリーブの外側とキャビティとは、スリーブと保持装置との間に弾性材料があっても、意図した位置に保持装置を保つ。
【０００９】
本発明の一好適な実施形態は、スリーブ全体を囲む弾性材層を包含する。層の厚さは、2から15mmの間にある。より厚い弾性材の層は、取っ手に伝達される振動の大きさを低減するのにより効果的である。しかしながら、厚い弾性材の層は、信頼性のあるやり方において、スリーブと弾性材層との周囲に保持装置をクランプ留めすることを、さらに面倒にする。非円形の形状のスリーブの外側、及びその結果として非円形の形状の弾性材層は、スリーブ、弾性材層、及びスリーブと弾性材層を囲む保持装置の部分の非円形の形状が、スリーブと保持装置との間の移動を防止するから、保持装置を締付け固定することを可能にする。その結果、特許請求の範囲に記載された装置は、取っ手の柄に伝達される振動の大きさを低減し、管への取っ手の柄の確実な締付け固定を提供する。
【００１０】
管は通常、円形であるがその他の形状が使用されてもよい。管とスリーブの内側とが非円形の形状は、より複雑な解決策となるが、管とスリーブとの間の移動を回避する有効な解決策である。
【００１１】
スリーブの外側と保持装置のその対応する部分とは、好ましくは楕円形状である。保持装置の楕円に形成されたスリーブとキャビティとは、製造が容易である。楕円の形状はまた、容易で有効な方法として、管に装置を装着することを可能にする。
【発明を実施するための最良の形態】
【００１２】
特許請求の範囲に記載された発明の一実施形態を、図面で説明する。
【００１３】
図１において、取っ手の柄を器具１０に固定するための、特許請求の範囲に記載された装置を備える草刈機が例示される。器具は、動力源１１、通常は内燃エンジンと、例えば管１２の一端に配置される、燃料タンク、消音器、及び起動装置のような関連構成部品とを包含する。管は、器具の長手方向に延在する。管の長さは、器具が目的とする作業の種類に依存する。エンジンと反対の端部に、例示されていない作業工具が配置される。しかしながら作業工具は、工具が使用される特定の作業に対して選択される。別のタイプの作業工具は、例えば、植木用の電気バリカン、ガイドバーとソーチェーン、又はフィラメントカッターである。取っ手の柄１４は、操作者が器具１０を巧みに操作することを可能にするために、管１２に沿った管１２の何れかの場所に装着される。取っ手の柄１４は、保持装置１５によって管１２に固定される。
【００１４】
取っ手の柄１４を備える器具は、操作者の肩周りに延在する固定用ベルト又は肩紐によって支持される。固定用ベルト又は肩紐は、器具に固定された環状留金１３に装着される。
【００１５】
管１２に取っ手の柄１４を固定するための特許請求の範囲に記載された装置は、図２、３、及び４に例示される。装置は、管１４の周囲に固定されるスリーブ１６を備える。管１４は、円形断面を有し、スリーブ１６の内側２５は、管１４と同様の形状を有する。スリーブ１６は、スリーブ１６の端部に配置される二つのネジ１７によって管１４にクランプ留めされる。スリーブ１６の外側１８は、非円形の形状を有する。例示された実施形態において、スリーブ１６の外側１８は楕円形であるが、その他の全ての非円形の形状が、使用できる。スリーブ１６の楕円部分のほぼ全周を覆っている層１９は、スリーブ１６を取り囲む。層１９は、スリーブ１６の周囲の半径方向で、ほぼ一定の厚さを有し、弾性材料から作られる。弾性材料は、器具１０から取っ手の柄１４に伝達される振動の大きさを低減するだろう。弾性材層の厚さは、2から15mmの間であるが、取っ手の柄１４における振動の満足な低減を確保するために、弾性材層１９は、少なくとも3mmはあるべきで、ゴム又は同様の特性を有する材料から作られる。
【００１６】
弾性材層１９は、保持装置１５の第一端部２０でキャビティ２１によって囲まれる。キャビティ２１は、スリーブ１６の外形１８と同様の非円形の形状を有する。保持装置１５内の非円形の形状のスリーブ１６の外側１８とキャビティ２１とは、スリーブ１６が弾性材層１９によって囲まれるにもかかわらず、スリーブ１６に関して保持装置１５を所定の位置に保つ。この特徴は、特許請求の範囲に記載された発明に必須である。
【００１７】
弾性材層１９の、スリーブ１６の外側１８の形状の、及びキャビティの厚さは、スリーブ１６と弾性材層１９と保持装置１５との相互間で、軸方向に移動することを回避するために、管１２に沿った軸方向に変化してもよい。しかしながら、弾性材層１９の、スリーブ１６の外側１８の形状の、及びキャビティの変更された厚さは、緊密な接触層又は表面における同様の変更によって、成就するに相違ない。
【００１８】
保持装置１５の第一端部２０は、キャビティ２１の一部分を有する第一部分２２とキャビティ２１の残りの部分を有する第二部分２３とを備える。二つの部分２２と２３は、スリーブ１６と弾性材層１９との周囲に、保持装置を装着して固定することを可能にするために必要である。第二部分２３は、四つのネジ２４によって保持装置１５に一体化される第一部分２２にネジ留めされる。キャビティもまた、何らかの理由で有利ならば、二つの部分２２と２３より多数に分割することが可能である。ネジの数もまた変えることが可能である。
【００１９】
図１に例示された保持装置１５の第二端部は、取っ手の柄を器具に固定する。
【図面の簡単な説明】
【００２０】
【図１】取っ手の柄を管に固定するための、特許請求の範囲に記載された装置を備える草刈機を例示する。
【図２】特許請求の範囲に記載された装置の側面図を例示する。
【図３】図２の矢視III −III に沿った断面を例示する。
【図４】特許請求の範囲に記載された装置の斜視図を例示する。
【図１】
2008504815.tif 000003
【図２】
2008504815.tif 000004
【図３】
2008504815.tif 000005
【図４】
2008504815.tif 000006
【国際調査報告】
2008504815.tif 000007
2008504815.tif 000008
2008504815.tif 000009